(57)【要約】【課題】搬送性及び組立て性に優れ、車椅子使用者の適切な姿勢での接近が可能とされたプランター及びそのプランター用スタンドを提供する。【解決手段】プランターＡは、係止部４を備えた左右一対の側面板１，１’と、側面板の間にＶ字形に掛け渡され、係止部に分離可能に固着され、一対の側面板との間に収容空間を形成する正面板２  及び背面板２’とからなり、側面板は、その正面側及び背面側の端縁から当該側面板の下方に存在する水平線まで延びる外れ止め部を兼ねた脚部を有する。スタンドＢは、脚体１１，１１’を定距離隔てた状態で連結部材１２により連結してなり、脚体は上端部にＷ字形の支持部１５を有し、左右の支持部間距離はプランターの左右の係止部間距離と等しく、かつ連結部材は車椅子使用者のプランター下方への進入を妨げない位置に設けられている。【選択図】      図１
2004267009.tif 000002
【特許請求の範囲】
【請求項１】
互いに対向する面にほぼＶ字形に突設された係止部を備えた左右一対の側面板と、左右に離間された前記側面板の間に掛け渡され、前記係止部に係止されＶ字形に配置されて分離可能に固着され、前記一対の側面板との間に収容空間を形成する正面板及び背面板とからなり、前記側面板は、その側面板の正面側及び背面側の端縁から当該側面板の下方に存在する水平線まで延びる、外れ止め部を兼ねた脚部を一体に有することを特徴とするプランター。
【請求項２】
互いに対向する面にほぼＶ字形に突設された係止部を備えた左右一対の側面板と、左右に離間された前記側面板の間に掛け渡され、前記係止部に係止されＶ字形に配置されて分離可能に固着され、前記一対の側面板との間に収容空間を形成する正面板及び背面板と、前記側面板の係止部に固着された正面板及び背面板で形成されるＶ形溝の底部内側に嵌合して静置される、前記正面板及び背面板と等長のアングル材と、前記Ｖ形溝に嵌合され、かつ、底部が前記アングル材の上面に嵌合して静置されるＶ字形のインナー材とからなり、前記側面板は、その側面板の正面側及び背面側の端縁から当該側面板の下方に存在する水平線まで延びる、外れ止め部を兼ねた脚部を有することを特徴とするプランター。
【請求項３】
少なくとも一方の側面板の係止部はＶ字形の下端部分において切欠され、インナー材及びアングル材は正面板及び背面板よりも若干短く形成されているとともに、両側面板に分離可能に固着された正面板と背面板の下端部の間は少なくとも正面板と背面板の長手方向端部において僅かに離間されて、インナー材及びアングル材と少なくとも一方側の側面板との間及び前記正面板の下端部と前記背面板の下端部の間に収容空間の下端部から下方に連通する水抜き及び通気用の隙間が形成されていることを特徴とする請求項２に記載されたプランター。
【請求項４】
左右の脚を一定距離隔てた状態で連結部材により連結してなり、前記脚はその上端部にほぼＶ字形の支持部を有し、前記左右の脚の支持部間の距離は、請求項１〜３に記載されたプランターの左右の側面板の係止部間の距離とほぼ等しく設定され、前記連結部材は車椅子使用者の前記プランターの下方への進入を妨げない位置に設けられていることを特徴とする請求項１〜３に記載されたプランター用スタンド。
【発明の詳細な説明】
【０００１】
【発明の属する技術分野】
本発明は、組立て式プランター及びそのプランターを所定状態で支持するためのスタンドに関する。プランターは、植木鉢又は園芸箱とも称されているものであり、スタンドは植木鉢用支持台とも称されているものである。
【０００２】
【従来の技術】
従来のプランターには、合成樹脂材料で一体に成形したもの、短冊状の板を幅方向両端部において順次接合し、金属製帯板で抱持固着し、長手方向両端面を側板で閉塞して舟の形に構成したもの、あるいは短冊状の木板を筒状に結合し、その筒の下端に底板を固着して樽状に構成したものなどが知られているが、これらはいずれも生産時点で一体物に作られており、一定不変の長さを有する。
【０００３】
【発明が解決しようとする課題】
そのため、購入者は、店舗から自宅まで搬送するのに苦労したり、使用するまでの間又は長期間使用しなくなった場合も、物置等の中の限りのある保管場所で大きい空間を占められたり、庭に不体裁に放置されたりする問題があった。
また、従来のプランターは、基本的には地面に直接静置して用いられるが、車椅子使用者が用いるには、適当な高さにプランターを持ち上げるだけでなく、車椅子に乗った状態で、そのプランターの土や植物に手が届く位置に安全に接近できなければならない。しかし、車椅子使用者が容易にかつ安全に接近して、植物（花や野菜等）の種蒔き、育成、施肥、給水等の管理や感触等を楽しむことができるプランターは、これまで存在しなかった。
【０００４】
本発明は、上記の事情に鑑みてなされたものであり、その課題は、搬送性及び組立て性に優れ、車椅子使用者の容易かつ安全な接近を可能にしたプランター及びそのプランター用スタンドを提供することにある。
【０００５】
【課題を解決するための手段】
上記課題を解決するため、本発明に係るプランターは、互いに対向する面にほぼＶ字形に突設された係止部を備えた左右一対の側面板と、左右に離間された前記側面板の間に掛け渡され、前記係止部に係止されＶ字形に配置されて分離可能に固着され、前記一対の側面板との間に収容空間を形成する正面板及び背面板とからなり、前記側面板は、その側面板の正面側及び背面側の端縁から当該側面板の下方に存在する水平線まで延びる、外れ止め部を兼ねた脚部を有することを特徴としている。
上記構成により、一対の側面板と正面板及び背面板とに分解した状態で梱包し、流通経路を購入者の自宅まで搬送し、使用しない時は物置などの保管場所に保管することができ、使用するときは、左右の側板の係止部に正面板及び背面板をＶ字形に配置して固着することにより、プランターとして使用可能になる。そして、外れ止め部を兼ねた脚部を有するので、直接地面上においてロープランターとして使用することもできるし、左右に離間された脚を有するスタンドの前記脚の上端部に設けられたＶ字形の支持部に前記外れ止め部を兼ねた脚部を支持させて、ハイプランターとして使用することができ、しかも、正面板及び背面板がＶ字形に配置されているので、車椅子使用者も所要位置まで接近することができ、従来のプランターでは不可能であった植物の種蒔き又は植込み、育成管理あるいはガーデニングを安全に楽しむことができる。
【０００６】
上記プランターは、互いに対向する面にほぼＶ字形に突設された係止部を備えた左右一対の側面板と、左右に離間された前記側面板の間に掛け渡され、前記係止部に係止されＶ字形に配置されて分離可能に固着され、前記一対の側面板との間に収容空間を形成する正面板及び背面板と、前記側面板の係止部に固着された正面板及び背面板で形成されるＶ形溝の底部内側に嵌合して静置される、前記正面板及び背面板と等長のアングル材と、前記Ｖ形溝に嵌合され、かつ、底部が前記アングル材の上面に嵌合して静置されるＶ字形のインナー材とからなり、前記側面板は、その側面板の正面側及び背面側の端縁から当該側面板の下方に存在する水平線まで延びる、外れ止め部を兼ねた脚部を有する構成とすることができる。
上記構成により、プランターは植物の成長、健康維持に重要な適度な保水性と通気性が得られる。
【０００７】
さらに、上記プランターは、少なくとも一方の側面板の係止部はＶ字形の下端部分において切欠され、インナー材及びアングル材は正面板及び背面板よりも若干短く形成されているとともに、両側面板に分離可能に固着された正面板と背面板の下端部の間は正面板と背面板の少なくとも長手方向端部において僅かに離間されて、インナー材及びアングル材と少なくとも一方側の側面板との間及び前記正面板の下端部と前記背面板の下端部の間に収容空間の下端部から下方に連通する水抜き及び通気用の隙間が形成されていることが望ましい。
上記構成により、プランターに適度な排水性も得られ、しかも、排水される水は、プランターの長手方向中間位置からではなく、側面板に沿ってその係止部の下端部に形成された隙間を経て地上に流下させることができる。従って、車椅子使用者も自分が濡れることなく、給水又は施肥を行うことができる。さらに、排出される水滴によりプランター下方の地面に孔が掘られて車椅子の接近が困難になることが防止される。
【０００８】
車椅子使用者によるプランターの使用を可能にするためには、プランターの形状をＶ字形に改善するだけでは足らず、そのプランターを車椅子使用者などにとって適切な高さに、かつ、最適な位置に接近できるように支持するスタンドが必要である。本発明によるスタンドは、この点に着眼してなされたものであり、左右の脚体を一定距離隔てた状態で連結部材により連結してなり、前記脚体はその上端部にほぼＶ字形の支持部を有し、左右の脚体の支持部間の距離は、上記プランターの左右の側面板のＶ字形係止部間の距離と等しく、かつ前記連結部材は車椅子使用者の上記プランターの下方への進入を妨げない位置に設けられていることを特徴としている。
上記スタンドの構成により、地上に直接静置できるプランターを、その両側の側面板のＶ字形係止部においてスタンドの両側の脚体の上端部のＶ字形支持部に嵌合係止して、適当な高さに保持することができる。そして、車椅子使用者は車椅子をスタンドの両脚体を連結する連結部材に邪魔されずに、プランターの下方の所要位置に進入することができる。
【０００９】
【発明の実施の形態】
次に、本発明の実施の形態について、図面に基づいて説明する。
図１は組立て完成された本発明に係るプランター及びスタンドを分離した状態で示す斜視図、図２は同プランターをスタンドに載せた状態で示す斜視図、図３は図２のスタンド付きプランターの正面中央縦断面図、図４はプランターの側面板の内側面を示す側面図、図５はプランターのみの拡大正面中央縦断面図、図６は図５の一部の拡大図、図７はプランターの一部の正面図、図８は図７のＸ−Ｘ線に沿った一部の断面図である。
【００１０】
図１のＡは組立てられたプランター、Ｂは組立てられたスタンドである。プランターＡは左右に配置された同一形状の側面板１，１´と、前後に配置された同一形状の正面板２及び背面板２´とを有し、側面板１，１´の対向面の所定位置に正面板２及び背面板２´の長手方向端面を当接し、かつ、後述される係止部４にＶ字状に係止して、その係止部に正面板２及び背面板２´をねじで止着することにより、分解可能に組立てられている。
【００１１】
側面板１，１´は側面から見てほぼ扇形を有し、その前後の端縁の下部から下方の水平線まで延びる脚部３を有している。また、側面板１，１´の前後の端縁の内側面には、左右の側面板において互いに対向する方向に突出して、ほぼＶ字形に連続する係止部４（図４，図５）が形成されている。しかし、その係止部４は、Ｖ字の底部に相当する位置において上向きに僅かに屈曲されているとともに、その屈曲部４´の間に切欠５が設けられている。また、側面板の上端部中央には、プランターＡを持ち上げるための手掛け孔６が形成されている。このような側面板１，１´は、所要の強度と耐蝕性と耐久性を備えるため、鋳物で作られることが好ましい。
【００１２】
正面板２と背面板２´は同一構造のものを用いているので、以下には代表的に正面板についてのみ説明する。正面板２は、軽くて所要の強度を備えるため、複数の中空部を有するアルミニウム又は硬質合成樹脂製の同一形状を有する複数個の形材２１を隣接し、各形材の両肩に形成されている係合溝２２にほぽ凹字形に形成されている樹脂カバー２３の各立上がり壁の先端に設けられた係止縁２４を嵌合係止することにより、見掛上１枚の板状に構成されている。
【００１３】
そして、上記正面板２と背面板２´は、その長手方向端面を左右の側面板１の対向面に当接した状態で各側面板のＶ字形の係止部４に載せるとともに、正面板２と背面板２´のそれぞれの下端の角部を係止部４の下端の屈曲部４´に嵌合し停止させて、係止部にその外側から貫通されるねじ７を正面板２と背面板２´にねじ込むことにより固着され、Ｖ字状に保持されている。これにより、左右の側面板１，１´と正面板２及び背面板２´との間に収容空間８が形成されている。この場合、正面板２と背面板２´の下端部の間は、水抜きのために１〜２ｍｍ程度離間されている。
【００１４】
正面板２と背面板２´の基本的構成を上記のように複数個の形材２１と樹脂カバー２３の組合わせとした場合は、扇形の半径の長さが形材２１の幅の倍数と等しい側面板１を用い、形材２１の数を３枚以上とし、樹脂カバー２３の幅を形材の幅と等しいものとすることにより、収容空間８の容積が複数段階に異なるプランターを提供することができる。
【００１５】
一つの実施の形態として、上記正面板２と背面板２´の下端部の間に形成されている水抜き孔に帯状の可撓性防虫ネット（図示せず）をＶ字形に折り曲げて、又はＶ字形の金網（図示せず）を静置すれば、地面に直接静置して使用することができるプランターとなる。
【００１６】
しかし、車椅子使用者が最大限接近した場合にその膝の上方に置かれるプランターとして使用する場合は、プランターの下端部の全長に沿って存在する水抜きから余剰水が流下することは好ましくない。
そこで、好ましい実施の形態においては、図５に示すように、収容空間の底部にアングル材９が静置され、そのアングル材９の上に正面板２と背面板２´の内側面を覆うインナー材１０が静置されている。このインナー材１０は、スポンジ等の軟質多孔質材料で作られて、通水性及び通気性を有し、植物の根を保護するためのものである。この場合、少なくともアングル材９は、正面板及び背面板２の長さよりも若干短く形成されているため、長手方向の少なくとも一端部は、少なくとも一方の側面板から離間されて、収容空間８から底部の水抜き孔を経て側面板の係止部４の下端部の切欠５に連通する水抜き通路が形成されている。
【００１７】
従って、土が収容されたプランターＡに降雨又は給水により余剰水が発生する時は、収容空間８からインナー材１０を通過して、正面板及び背面板の内側面に沿ってアングル材９の中に集まり、そのアングル材の少なくとも一端部と側面板１又は１´の間の隙間、正面板と背面板の間の水抜き孔を経て切欠５から流下することとなる。
【００１８】
上記プランターＡは、棚板と地面の間に車椅子進入が可能な空間を有するように設置されたその棚板の上に静置して使用することもできる。しかし、その様な棚板は、任意の場所に移動することは困難な場合が多い。
図示のスタンドＢは、左右の脚体１１，１１´を、左右方向に所定距離隔て、その間に複数本の連結部材１２を所定の位置に配置し、脚体の外側から各連結部材にねじ１３をねじ込んで連結することにより、分解可能に組立てられている。
【００１９】
脚体１１，１１´も、所要の強度と耐蝕性と耐久性を備えるため鋳物で作られていることが好ましく、同一の構造を有している。すなわち、高さ方向及び前後方向の中間位置に下部連結部１４ａを、また、上端部の前後両側に上部連結部１４ｂ，１４ｂを有しており、これらの連結部１４ａ，１４ｂ，１４ｂは逆三角形の各頂点に相当する位置に設けられている。図示の例では、連結部１４ａ，１４ｂ，１４ｂは連結部材１２の端部を当接される面を有し、かつ、ねじ１３の軸を貫通する孔を有している。さらに、脚体１１，１１´は、その上端部に上記プランターＡを載置して支持する支持部１５を有している。
【００２０】
支持部１５は、プランターＡの側面板１，１´のＶ字形の係止部４の傾斜角度と等しい傾斜角度を有する傾斜部１５ａと、その傾斜部の下端部の間に、側面板１，１´の係止部４の下端部に設けられている切欠５に嵌合する逆Ｖ字形の凸部１５ｂを有していて、支持部１５は全体としてほぼＷ字状に連続している。
【００２１】
各連結部材１２はすべて同一の形状と長さの金属管で作られ、両端部にねじ孔を有する。そして、各連結部材の両端部を左右両側の脚体１１の下部連結部１４ａ及び上部連結部１４ｂ，１４ｂの対向面に当接し、その外側からねじ１３をそれらの連結部に貫通し、連結部材１２のねじ孔にねじ込むことにより、左右の脚体１１，１１´で地面に安定して立つスタンドＢが組立てられている。この場合、左右の脚体の上端部の支持部１５間の距離は、連結部材１２を所定の長さに設定することにより、プランターＡの左右の側面板１，１´の係止部４間の距離とほぼ等しくされている。換言すると、側面板１，１´の脚部３間の距離よりも僅かに短くされている。
【００２２】
こうして、スタンドＢの支持部１５のＷ形状及びプランターＡの係止部４のＶ形状が合致し、支持部１５間距離と係止部４間距離が一致するため、プランターＡの両側の係止部４を図２，図３に示すようにスタンドＢの両側の支持部１５に載せて固定することができる。このとき、プランターＡの外れ止めを兼ねる脚部３が外れ止めとして機能し、スタンドＢの支持部１５と協働してプランターＡの左右方向の移動を阻止する。また、上部の連結部材１２の太さを適宜設定することにより、その連結部材でプランターＡの正面板２及び背面板２´の高さ方向中間位置を支持することもできる。
【００２３】
スタンドＢは、上記のように、一対の脚体と複数本の連結部材とからなり、ねじで分解可能に連結される構成であるので、分解状態で搬送、保管、移動が容易であり、使用する場合は自分で容易に組立てることができる。また、使用状態では、上記プランターを少なくとも左右の支持部に安全に載置することができる。そして、下部の連結部材は高さ方向及び前後方向の中間位置にあるため、プランターの正面板又は背面板の底面が傾斜していることと相俟って、車椅子使用者は、脚がスタンドに載置されたプランターの下方に位置するまで車椅子を前進することが可能であるから、プランターに最大限接近して、プランターへの種蒔き、植物の育成管理などを楽しむことができる。
【００２４】
上述の構成において、プランターＡの側面板の上端部及び外側面などの装飾のための形状及び色彩は任意であり、また、支持部１５の形状及び連結部材１２の配置位置を除けば、スタンドＢの脚体の外観形状も任意である。
【００２５】
【発明の効果】
上述のように、請求項１の発明によれば、プランターは、対向面にほぼＶ字形に突設する係止部を備えた一対の側面板と、左右に離間された側面板の間に掛け渡され、前記係止部にＶ字形に配置されて分離可能に固着され、前記一対の側面板との間に収容空間を形成する正面板及び背面板とからなり、側面板は、その正面側及び背面側の端縁から当該側面板の下方に存在する水平線まで延びる外れ止め部を兼ねた脚部を有するので、分解状態で梱包し、流通経路を購入者の自宅まで搬送し、不使用時は物置などに保管することができ、使用時は左右の側板の係止部に正面板及び背面板をＶ字形に配置して固着することにより、使用可能なプランターとなる。外れ止め部を兼ねた脚部を有するので、直接地面上においてロープランターとして使用することもできるし、左右に離間された脚を有するスタンドの上端部に設けられたＶ字形の支持部に前記外れ止め部を兼ねた脚部を支持させて、ハイプランターとして使用することができる。しかも、正面板及び背面板がＶ字形に配置されているので、車椅子使用者も最大限接近することができるから、従来のプランターでは不可能であった種蒔き又は植込み、育成管理など、あるいは、多数のプランターを多数のスタンドに載せて、ガーデニングを楽しむことができる。
【００２６】
また、請求項２の発明によれば、上記プランターにおいて、Ｖ形の収容空間の底部に正面板及び背面板と等長のアングル材と、プランターのＶ形の収容空間に嵌合され、かつ、底部が前記アングル材の上面に嵌合して静置されるＶ字形のインナー材とを付加的構成要素として有するので、プランターは植物の成長、健康維持に重要な適度な保水性と通気性を備えることができる。
【００２７】
さらに、請求項３の発明によれば、プランターは、少なくとも一方の側面板の係止部はＶ字形の下端部分に切欠を有し、インナー材及びアングル材は正面板及び背面板よりも若干短く形成され、両側面板に分離可能に固着された正面板と背面板の下端部の間は少なくともその長手方向端部において僅かに離間されて、インナー材及びアングル材と少なくとも一方側の側面板との間及び正面板の下端部と背面板の下端部の間に収容空間の下端部から下方に連通する水抜き及び通気用の隙間が形成されているので、プランターに適度な排水性も得られ、排出される水はプランターの底部の全長からではなく、側面板に沿ってその係止部の下端部に形成された隙間を経て地上に流下させることができ、従って、車椅子使用者も濡れることなく、給水又は施肥を行うことができ、排出される水滴によりプランター下方の地面に孔が掘られて車椅子の接近が困難になることが防止される。
【００２８】
そして、請求項４の発明によれば、スタンドは、左右の脚体を一定距離隔てた状態で連結部材により分解可能に連結してなり、脚体はその上端部にほぼＶ字形の支持部を有し、左右の脚体の支持部間距離は、上記プランターの左右の側面板の係止部間距離と等しく、かつ連結部材は車椅子使用者の上記プランターの下方への進入を妨げない位置に設けられているので、地上に直接静置できるプランターを、その両側の側面板の係止部においてスタンドの両側の脚体の支持部に嵌合係止して、適当な高さに保持することができる。従って、車椅子使用者は車椅子をスタンドの連結部材に邪魔されずに、プランターの下方への進入・退出を安全に行ってプランターでの植物育成管理等を行うことができる。
【図面の簡単な説明】
【図１】組立て完成された本発明に係るプランター及びスタンドを分離した状態で示す斜視図。
【図２】同プランターをスタンドに載せた状態で示す斜視図。
【図３】図２のスタンド付きプランターの正面中央縦断面図。
【図４】プランターの側面板の内側面を示す側面図。
【図５】プランターのみの拡大正面中央縦断面図。
【図６】図５の一部の拡大図。
【図７】プランターの一部の正面図。
【図８】図７のＸ−Ｘ線に沿った一部の断面図。
【符号の説明】
Ａ      プランター
１，１´  側面板
２        正面板
２´      背面板
３        脚部
４        係止部
５        切欠
７        ねじ
８        収容空間
９        アングル材
１０        インナー材
Ｂ      スタンド
１１，１１´脚体
１２        連結部材
１３        ねじ
１５        支持部
【図１】
2004267009.tif 000003
【図２】
2004267009.tif 000004
【図３】
2004267009.tif 000005
【図４】
2004267009.tif 000006
【図５】
2004267009.tif 000007
【図６】
2004267009.tif 000008
【図７】
2004267009.tif 000009
【図８】
2004267009.tif 000010